(57)【要約】【課題】過去の取引、特に直前の取引内容を現在処理中の取引を中止することなく迅速に確認できるようにする。【解決手段】電子ジャーナルファイルに蓄積された電子データの確認を要求する操作がなされると、電子ジャーナルファイルに蓄積された発行済レシートの取引明細データを最新のデータから順に呼出して表示部の登録画面に表示させる。【選択図】      図５
2005352973.tif 000002
【特許請求の範囲】
【請求項１】
入力された商品データに基づいて１顧客が買上げた商品の販売データを処理し、この１顧客との商品売買取引の締めが宣言されると、当該顧客が買上げた商品の金額やその合計等の取引明細データを印字したレシートを発行する商品販売データ処理装置において、
１顧客が買上げた商品の販売データを表示する登録画面の表示部と、
前記レシートに印字される取引明細データを電子データ化して蓄積する電子ジャーナルファイルと、
前記電子ジャーナルファイルに蓄積された電子データの確認を要求するジャーナル確認要求手段と、
このジャーナル確認要求手段により電子データの確認が要求されると、前記電子ジャーナルファイルに蓄積された発行済レシートの取引明細データを呼出して前記表示部の登録画面に表示させる直前ジャーナル表示制御手段と、
を具備したことを特徴とする商品販売データ処理装置。
【請求項２】
前記直前ジャーナル表示制御手段は、ジャーナル確認要求手段により電子データの確認が要求されると、前記電子ジャーナルファイルに蓄積された発行済レシートの取引明細データを最新のデータから順に呼出して前記表示部の登録画面に表示させることを特徴とする請求項１記載の商品販売データ処理装置。
【請求項３】
入力された商品データに基づいて１顧客が買上げた商品の販売データを処理し、この１顧客との商品売買取引の締めが宣言されると、当該顧客が買上げた商品の金額やその合計等の取引明細データを印字したレシートを発行する商品販売データ処理装置において、
１顧客が買上げた商品の販売データを表示する登録画面の表示部と、
前記レシートに印字される取引明細データを電子データ化して蓄積する電子ジャーナルファイルと、
前記電子ジャーナルファイルに蓄積された電子データの確認を要求するジャーナル確認要求手段と、
このジャーナル確認要求手段により電子データの確認が要求されると、前記表示部の登録画面にジャーナル確認画面を重ねて表示させ、前記電子ジャーナルファイルに蓄積された発行済レシートの印字データを最新のデータから順に前記ジャーナル確認画面に表示可能な行数分呼出して前記ジャーナル確認画面に表示させる直前ジャーナル表示制御手段と、
前記電子ジャーナルファイルに蓄積された発行済レシートの印字データを前記ジャーナル確認画面に表示中のデータから遡って呼出して前記ジャーナル確認画面に表示させるジャーナル表示スクロール手段と、
を具備したことを特徴とする商品販売データ処理装置。
【請求項４】
前記表示部は、タッチパネルであり、
前記ジャーナル確認要求手段は、前記表示部の登録画面に表示されたワンタッチボタンであることを特徴とする請求項１乃至３のうちいずれか１項に記載の商品販売データ処理装置。
【請求項５】
前記ジャーナル確認要求手段は、商品データ等を入力するための各種キーが配設されたキーボードに設けられ、商品データの入力に使用しない１つのキーであることを特徴とする請求項１乃至３のうちいずれか１項に記載の商品販売データ処理装置。
【発明の詳細な説明】
【技術分野】
【０００１】
本発明は、電子ジャーナル機能を有したＰＯＳ（Point Of Sales）端末等の商品販売データ処理装置に関する。
【背景技術】
【０００２】
電子ジャーナル機能を有した商品販売データ処理装置は、客との商品売買取引において発行されたレシートの印字データが電子化されて電子ジャーナルファイルに保存されているので、過去の取引内容を自動的に検索して確認できるという利点がある。
【０００３】
例えば、一旦成立した取引の内容訂正を客から求められた場合に、業務モードを登録業務のモードから取引訂正業務のモードに切り換えた後、訂正対象取引を特定する取引番号を入力すると、電子ジャーナルファイルから該当取引番号の取引で発行されたレシートに印字された販売商品の金額やその合計等の取引明細データを検索し表示するものがあった。このような商品販売データ処理装置であれば、過去の取引内容を自動的に検索して確認できる利点がある。（例えば、特許文献１参照）。
【特許文献１】特開平７−１６８９７６号公報
【発明の開示】
【発明が解決しようとする課題】
【０００４】
しかしながら、スーパーマーケットやコンビニエンスストア等において、客から取引内容の確認を求められるケースとしては、直前に取引を終えた客が受け取ったレシートを見て不明な点があったときが大部分である。これに対して、従来のこの種の商品販売データ処理装置は、過去の取引内容を確認するためには、業務モードを確認用のモードに切り換えた後に該当する取引番号を入力しなければならなかったので、既に次の客との商品売買取引を開始していた場合にはその客との取引を終えるまで待たせていた。このため、確認を求めている客に対して迅速な対応取ることができなかった。仮に、商品売買取引の途中で業務モードを登録モードから他のモードに切り換えて過去の取引を確認することも可能ではあるが、その場合には、処理中であった客との取引が中止されてしまい、確認後に再度始めからやり直さなければならなくなるので、実際に行うことは困難であった。
【０００５】
本発明はこのような事情に基づいてなされたものであり、その目的とするところは、過去の取引、特に直前の取引内容を現在処理中の取引を中止することなく迅速に確認することができ、確認対象取引の客は勿論のことその後の客も待たせてしまうような不都合をなくし得る商品販売データ処理装置を提供しようとするものである。
【課題を解決するための手段】
【０００６】
本発明は、入力された商品データに基づいて１顧客が買上げた商品の販売データを処理し、この１顧客との商品売買取引の締めが宣言されると、当該顧客が買上げた商品の金額やその合計等の取引明細データを印字したレシートを発行する商品販売データ処理装置、例えばＰＯＳ端末において、１顧客が買上げた商品の販売データを表示する登録画面の表示部、例えばオペレータ用表示器と、レシートに印字される取引明細データを電子データ化して蓄積する電子ジャーナルファイルと、電子ジャーナルファイルに蓄積された電子データの確認を要求するジャーナル確認要求手段と、このジャーナル確認要求手段により電子データの確認が要求されると、電子ジャーナルファイルに蓄積された発行済レシートの取引明細データを呼出して表示部の登録画面に表示させる直前ジャーナル表示制御手段とを備えたものである。
【発明の効果】
【０００７】
かかる手段を講じた本発明によれば、過去の取引、特に直前の取引内容を現在処理中の取引を中止することなく迅速に確認することができ、確認対象取引の客は勿論のことその後の客も待たせてしまうような不都合をなくし得る商品販売データ処理装置を提供できる。
【発明を実施するための最良の形態】
【０００８】
以下、本発明を実施するための最良な形態について、図面を用いて説明する。  
なお、この実施の形態は、電子ジャーナル機能を有したＰＯＳ端末に本発明を適用した場合である。
【０００９】
図１は本実施の形態におけるＰＯＳ端末の要部構成を示すブロック図であり、このＰＯＳ端末は、制御部本体としてＣＰＵ（Central Processing Unit）１を搭載している。また、プログラム等の固定的データが予め格納されたＲＯＭ（Read Only Memory）２、データを書換え自在に記憶するための各種メモリエリアが形成されたＲＡＭ（Random Access Memory）３、ＨＤＤ（Hard Disk Drive）装置等の不揮発性の大容量記憶装置によって構成された電子ジャーナルファイル４、現在の日付及び時刻を計時する時計部５、当該ＰＯＳ端末の上位機であるストアコンピュータと通信回線を介して行うデータ通信を制御する通信インターフェイス６、モードスイッチ７からの信号が入力されるとともにドロワ８に対する開放指令信号が出力されるＩ／Ｏポート９、商品データ等を入力するための各種キーが配設されたキーボード１０から操作キーに対応したキー信号を取り込むキーボードコントローラ１１、オペレータ用の表示器であるタッチパネル１２への画面表示を制御するとともにタッチ操作に対応した位置座標信号を取り込むタッチパネルコントローラ１３、客用表示器１４へのデータ表示を制御する表示コントローラ１５、プリンタ１６によるレシート印字及び発行を制御するプリンタコントローラ１７、スキャナ１８で読み取られたバーコードデータを取り込むスキャナコントローラ１９等を搭載している。ＣＰＵ１と、ＲＯＭ２，ＲＡＭ３，電子ジャーナルファイル４，時計部５，通信インターフェイス６，Ｉ／Ｏポート９及び各種入出力機器のコントローラ１１，１３，１５，１７及び１９とは、アドレスバス，データバス等のバスライン２０で接続されている。
【００１０】
モードスイッチ７は、「登録」，「点検」，「取引訂正」，「精算」等の各種業務モードを選択し、その実行をＣＰＵ１に指令する制御スイッチである。因みに「登録」とは、キーボード１０またはスキャナ１８を介して入力された商品データに基づいて１顧客が買い上げる商品の販売データをメモリに登録処理し、キーボード１０の締めキー操作により１顧客が買い上げる商品の登録締めが宣言されると、プリンタ１６により当該顧客が買い上げた商品の販売金額，その合計金額等の取引明細データを印字したレシートを発行するとともに、このレシートに印字された取引明細データを電子ジャーナルファイル４に保存する業務のモードである。「点検」とは、登録業務によってメモリに登録処理された商品販売データを集計し、売上データとしてレポート出力する業務のモードである。「取引訂正」とは、電子ジャーナルファイル４に保存された取引明細データを取引単位に呼出して修正する業務のモードである。「精算」とは、点検業務と同様に登録業務によってメモリに登録処理された商品販売データを集計し、売上データとして出力した後、メモリをクリアする業務のモードである。
【００１１】
かかる構成のＰＯＳ端末において、ＲＡＭ３には、特に図２に示すように、１顧客分の取引データ（取引日時，客層コード，商品販売データ，合計金額データ，代金支払データ，取引番号，買上点数，責任者名等）を記憶する取引明細メモリ２１と、電子ジャーナルファイル４に保存する直前のデータを一時的に記憶する直前入力メモリ２２とが形成されている。
【００１２】
電子ジャーナルファイル４には、精算済取引の明細データ（精算済ジャーナルデータ）に、未精算取引の明細データ（未清算ジャーナルデータ）が取引発生順に蓄積されるようになっている。
【００１３】
しかして、ＣＰＵ１は、モードスイッチ７により「登録」業務が選択されその実行が指令されると、図４の流れ図に示す手順で各部を制御するようにプロクラム構成されている。すなわちＣＰＵ１は、先ず、ＳＴ（ステップ）１としてタッチパネル１２に商品登録画面を表示させる。
【００１４】
図６に上記商品登録画面６０の一例を示す。この画面６０には、サインオンしたキャッシャの氏名と、当該キャッシャが客層キーを操作して選択入力した顧客の客層情報とを表示するヘッダエリア６１と、当該顧客が買い上げた商品の販売データである商品名，単価，販売点数，販売金額（単価×販売点数）を表示する明細エリア６２と、当該顧客が買い上げた商品の合計金額が表示される請求金額エリア６３とが形成されている。また、サインオフボタン６４や、ジャーナル確認要求手段として機能するジャーナル確認ボタン６５等のタッチボタンが表示されている。
【００１５】
ＣＰＵ１は、上記商品登録画面を表示させた後、ＳＴ２として客層コードが入力されるのを待機する。ここで、キーボード１０に配置されたいずれかの客層キーが操作されて買上商品の代金支払いを申し出た顧客の客層（性別及び年齢）が入力されると、ＣＰＵ１は、ＳＴ３として時計部５にて計時されている現在の日付及び時刻を取得する。そしてこの日付及び時刻データを、入力された客層を特定する客層コードとともに取引明細メモリ２１の先頭行エリアと直前入力メモリ２２とに格納する。また、客層コードをタッチパネル１２の商品登録画面６０に表示させる。
【００１６】
次に、ＣＰＵ１は、ＳＴ４として当該顧客が買い上げる商品の登録、つまりは商品コードや販売点数等の商品データが入力されるのを待機する。そして、商品データが入力されたならば、ＣＰＵ１は、ＳＴ５としてこの商品データに基づいて商品名，単価，販売点数及び販売金額の商品販売データを処理する。そして、ＳＴ６としてこの商品販売データと合計金額をタッチパネル１２の商品登録画面６０と客用表示器１４とに表示させる。また、ＳＴ７として直前入力メモリ２２のデータを電子ジャーナルファイル４に保存して直前入力メモリ２２をクリアした後、ＳＴ８として商品販売データを取引明細メモリ２１と直前入力メモリ２２とにそれぞれ格納する。
【００１７】
次に、ＣＰＵ１は、ＳＴ９として１顧客との商品売買取引の登録締めが宣言されたか否かを判断する。ここで、登録締めが宣言されず、次の商品データが入力されたならば、ＣＰＵ１は、前記ＳＴ５〜８の各処理を繰り返し実行する。
【００１８】
ＳＴ９にてキーボード１０の締めキー操作により登録締めが宣言されたならば、ＣＰＵ１は、ＳＴ１０として当該取引で販売登録された全商品の合計金額に対する代金支払処理を行って、合計金額データ，代金支払データの決済データを処理する。そして、ＳＴ１１としてタッチパネル１２の画面を登録締め画面に変更し、決済データをタッチパネル１２の登録締め画面と客用表示器１４とに表示させる。
【００１９】
次に、ＣＰＵ１は、ＳＴ１２として合計金額データ，代金支払データの決済データと、登録締めデータ、すなわちカウントアップされた新規の取引番号と買上点数と責任者名の各データとを取引明細メモリ２１に格納する。そしてＣＰＵ１は、ＳＴ１３として取引明細メモリ２１の内容に基づいてレシート印字データを作成し、プリンタコントローラ１７に与えて、プリンタ１６によりレシートを印字発行させる。
【００２０】
しかる後、ＣＰＵ１は、ＳＴ１４として直前入力メモリ２２のデータを電子ジャーナルファイル４に保存して直前入力メモリ２２をクリアする。次いで、ＳＴ１５として合計金額データ及び代金支払データの決済データと、新規の取引番号，買上点数及び責任者名の登録締めデータとを電子ジャーナルファイル４に保存したならば、１顧客との商品売買取引を終了する。そして、タッチパネル１２の画面を商品登録画面６０に戻して、次の客の客層入力を待機する。
【００２１】
ところで本実施の形態では、ＣＰＵ１は、ＳＴ２の客層入力待機中、及びＳＴ４の商品登録待機中において、商品登録画面６０にタッチボタンとして表示されているジャーナル確認ボタン６５のタッチ入力を検知すると、図５の流れ図に具体的に示すジャーナル確認処理を実行するものとなっている。
【００２２】
すなわちＣＰＵ１は、このジャーナル確認処理に入ると、先ず、ＳＴ２１としてタッチパネル１２にジャーナル確認画面を表示させる。
【００２３】
図７に上記ジャーナル確認画面７０の一例を示す。この画面７０には、電子ジャーナルファイル４に保存されている電子ジャーナルデータを表示するジャーナルエリア７１が形成されている。また、前頁，前行，次行及び次頁のスクロールボタン７２と、終了ボタン７３のタッチボタンが表示されている。ジャーナル確認画面７０は、商品登録画面６０に重ねて表示されている。
【００２４】
ＣＰＵ１は、上記ジャーナル確認画面７０を表示させた後、ＳＴ２２として電子ジャーナルファイル４の最新データ、つまりは電子ジャーナルファイル４に直前に保存されたデータから順に遡って検索する。そして、ＳＴ２３としてレシートの最終行に印字される登録締めデータ（取引番号，買上点数，責任者名）を検出したならば、ＣＰＵ１は、ＳＴ２４としてこの登録締めデータから過去に遡ってＸ行分のデータ（Ｘ行はジャーナル確認画面７０のジャーナルエリア７１で表示可能なデータの行数）を取得し、ジャーナル確認画面７０のジャーナルエリア７１に表示させる（直前ジャーナル表示制御手段）。
【００２５】
次に、ＳＴ２５としてスクロールボタン７２がタッチ操作されたならば、ジャーナルエリア７１に表示されているデータのスクロール処理を行う。具体的には、前頁ボタンがタッチ操作された場合には、現在表示中のデータの中で最も古いデータから過去に遡ってＸ行分のデータを電子ジャーナルファイル４から取得してジャーナルエリア７１に表示させる。前行ボタンがタッチ操作された場合には、現在表示中の中で最も新しいデータより１つ前のデータから過去に遡ってＸ行分のデータを電子ジャーナルファイル４から取得してジャーナルエリア７１に表示させる。次行ボタンがタッチ操作された場合には、現在表示中の中で最も新しいデータより１つ後のデータから過去に遡ってＸ行分のデータを電子ジャーナルファイル４から取得してジャーナルエリア７１に表示させる。次頁ボタンがタッチ操作された場合には、現在表示中のデータの中で最も新しいデータから現在に遡ってＸ行分のデータを電子ジャーナルファイル４から取得してジャーナルエリア７１に表示させる（ジャーナル表示スクロール手段）。
【００２６】
その後、ＳＴ２７として終了ボタン７３がタッチ操作されたならば、ＣＰＵ１は、ＳＴ２８としてジャーナル確認画面７０を消去して、ジャーナル確認ボタン入力前の状態に戻る。
【００２７】
なお、ＳＴ２２にて電子ジャーナルファイル４を最新データから順に遡って検索した結果、登録締めデータを検出する前に、ＳＴ２９として精算済のジャーナルデータを検出した場合には、ＣＰＵ１は、その時点でジャーナル確認画面７０を消去して、ジャーナル確認ボタン入力前の状態に戻る。
【００２８】
このように構成された本実施の形態のＰＯＳ端末においては、キーボード１０またはスキャナ１８を介して入力された商品データに基づいて１顧客が買上げた商品の販売データが処理され、締めキー操作によりこの１顧客との商品売買取引の締めが宣言されると、プリンタ１６により当該顧客が買上げた商品の金額やその合計等の取引明細データを印字したレシートが発行される。また、このレシートに印字された取引明細データが電子データ化されて電子ジャーナルファイル４に蓄積保存される。
【００２９】
また、１顧客との商品売買取引の商品登録前または商品登録中において、オペレータ用の表示器であるタッチパネル１２に表示される商品登録画面６０には、ジャーナル確認ボタン６５が表示されている。そして、このジャーナル確認ボタン６５をキャッシャがタッチ操作すると、商品登録画面６０に重ねてジャーナル確認画面７０が表示される。そして、電子ジャーナルファイル４から直前に登録締めが行われた商品売買取引の明細データを少なくとも含むレシート印字データが呼出され、ジャーナル確認画面７０のジャーナルエリア７１に表示される。
【００３０】
したがって、例えば直前に取引を終えた客からレシート内容に不明点があるためその確認を求められた場合、キャッシャは、ジャーナル確認ボタン６５をワンタッチ操作することでタッチパネル１２にその直前の客に対して発行されたレシートの印字データが表示されるので、迅速に確認することができる。この場合において、たとえ次の客が買上げる商品の登録を開始してしまっていても、それを中止して始めからやり直すようなことはないので、次の客を待たせる時間はごく僅かであり、不都合はない。
【００３１】
また、本実施の形態では、電子ジャーナルファイル４に蓄積された発行済シートの印字データをジャーナル確認画面７０に表示中のデータから遡って呼出して表示させるジャーナル表示スクロール機能を有しているので、精算前の商品売買取引のデータであればジャーナル確認モードに切り換えることなく簡単な操作で確認できる利点もある。
【００３２】
なお、本発明は上記実施の形態そのままに限定されるものではなく、実施段階ではその要旨を逸脱しない範囲で構成要素を変形して具体化できる。  
例えば前記実施の形態では、表示部をタッチパネル１２とし、ジャーナル確認要求手段をこのタッチパネル１２上のタッチボタン（ジャーナル確認ボタン６５）としたが、ジャーナル確認要求手段はタッチボタンに限定されるものではなく、例えばキーボード１０に設けられ、商品データの入力に使用しない１つのキーを使用してもよい。この場合、表示部はタッチパネル１２である必要はない。
【００３３】
また、前記実施の形態では、ジャーナル確認画面７０を商品登録画面６０の上に重ねて表示したが、商品登録画面６０に代えてジャーナル確認画面７０を表示させてもよい。ただしこの場合は、ジャーナル確認処理終了後に表示部の画面を商品登録画面６０のジャーナル確認処理開始前の状態に戻す処理が必要となる。
【００３４】
また、前記実施の形態では、直前入力メモリ２２を設け、直前に入力された電子ジャーナルファイル４への保存データを直前入力メモリ２２を一時記憶してリアルタイムに書込まないようにしたが、直前入力メモリ２２を有さず、電子ジャーナルファイル４にリアルタイムでデータを書込む形式のＰＯＳ端末にも本発明を適用できるのは言うまでもないことである。
【００３５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３６】
【図１】本発明の一実施の形態であるＰＯＳ端末の要部構成を示すブロック図。
【図２】同実施の形態におけるＰＯＳ端末のＲＡＭに形成される主要なメモリエリアを示す模式図。
【図３】同実施の形態におけるＰＯＳ端末の電子ジャーナルファイルに記憶されるデータ構造を示す模式図。
【図４】同実施の形態におけるＰＯＳ端末のＣＰＵが実行する登録モード処理の要部手順を示す流れ図。
【図５】図４におけるジャーナル確認処理の手順を具体的に示す流れ図。
【図６】同実施の形態においてＰＯＳ端末のタッチパネルに表示される商品登録画面の一例を示す模式図。
【図７】同実施の形態においてＰＯＳ端末のタッチパネルに表示されるジャーナル確認画面の一例を示す模式図。
【符号の説明】
【００３７】
１…ＣＰＵ、４…電子ジャーナルファイル、１２…タッチパネル、１６…プリンタ、２１…取引明細メモリ、２２…直前入力メモリ、６０…商品登録画面、７０…ジャーナル確認画面。
【図１】
2005352973.tif 000003
【図２】
2005352973.tif 000004
【図３】
2005352973.tif 000005
【図４】
2005352973.tif 000006
【図５】
2005352973.tif 000007
【図６】
2005352973.tif 000008
【図７】
2005352973.tif 000009